(57)【特許請求の範囲】
【請求項１】
Ｎ個のフィンガを持つレーキ受信機であって、
マッチド・フィルタにより、入力信号を用いてＭ個の経路の集合を見つける第１段階と、
前記Ｍ個の経路の集合と前記入力信号を用いてＮ個（Ｎ＜Ｍ）の経路の集合を生成する第２段階と、
前記Ｎ個の経路の集合を用いて前記レーキ受信機のＮ個のフィンガを形成する第３段階と、を含み、
前記第１段階により前記Ｍ個の経路の集合を更新し、前記第２段階及び前記第３段階により前記Ｎ個のフィンガを形成する第１の方法と、前記第１段階による前記Ｍ個の経路の集合の更新を行わずに、前記第２段階及び前記第３段階により前記Ｎ個のフィンガを形成する第２の方法との、２つの方法によって前記Ｎ個のフィンガを形成可能に構成されており、
更に、出力信号の品質をチェックし、前記出力信号の品質がしきい値より低いときに前記第１の方法により前記Ｎ個のフィンガを形成するように制御する制御部を備える、レーキ受信機。
【請求項２】
前記第１段階で入力信号を用いてＭ個の経路の集合を見つけ、Ｍ個の相関器を備える前記第２段階で前記Ｍ個の相関器の出力を用いて前記Ｎ個の経路の集合を生成する、請求項１に記載のＮ個のフィンガを持つレーキ受信機。
【請求項３】
前記第１段階で入力信号を用いてＭ個の経路の集合を見つけ、３*Ｍ個の相関器を備える前記第２段階で前記３*Ｍ個の相関器を用いてＭ個の推定値を生成する、請求項１に記載のＮ個のフィンガを持つレーキ受信機。
【請求項４】
前記第２段階で前記Ｍ個の推定値を用いて前記経路の第２の集合を生成する、請求項３に記載のＮ個のフィンガを持つレーキ受信機。
【請求項５】
前記第２段階で前記入力信号を用いてＮ個の経路の新しい集合を生成する、請求項１に記載のＮ個のフィンガを持つレーキ受信機。
【請求項６】
前記第２段階で前記Ｍ個の経路の第１の集合から前記Ｎ個の経路の新しい集合を選択する、請求項５に記載のＮ個のフィンガを持つレーキ受信機。
【請求項７】
前記第２段階で前記Ｍ個の経路の第１の集合から前記Ｎ個の経路の新しい集合を得る、請求項５に記載のＮ個のフィンガを持つレーキ受信機。
【請求項８】
前記第１段階でマッチド・フィルタの出力を用いて前記Ｍ個の経路の第１の集合を生成する、請求項１に記載のＮ個のフィンガを持つレーキ受信機。
【請求項９】
前記第１段階が不活動状態のとき前記第２段階でＮ個の経路の新しい集合を生成する、請求項８に記載のＮ個のフィンガを持つレーキ受信機。
【請求項１０】
前記第１段階が活動状態であってＭ個の経路の新しい集合を生成しているとき前記第２段階でＮ個の経路の新しい集合を生成する、請求項８に記載のＮ個のフィンガを持つレーキ受信機。
【請求項１１】
前記第１段階で前記Ｍ個の経路の新しい集合を生成するまで前記第３段階で前記第２段階からの経路を用いる、請求項１に記載のＮ個のフィンガを持つレーキ受信機。
【請求項１２】
前記装置はカウンタを更に備え、前記カウンタ値がプリセット値より大きいとき前記第１段階でＭ個の経路の新しい集合を生成する、請求項１に記載のＮ個のフィンガを持つレーキ受信機。
【請求項１３】
Ｎ個のフィンガを持つレーキ受信機であって、
入力信号と、
マッチド・フィルタにより、前記入力信号を用いてＭ個の候補経路の集合を見つけるサーチャと、
前記入力信号と前記Ｍ個の候補経路の集合を用いて、前記レーキ受信機を形成するためのＮ個（Ｎ＜Ｍ）の候補経路の部分集合を選択するセレクタと、
を備え、
前記サーチャにより前記Ｍ個の候補経路の集合を更新し、前記セレクタにより前記レーキ受信機を形成するためのＮ個の候補経路の部分集合を選択する第１の方法と、前記サーチャによる前記Ｍ個の候補経路の集合の更新を行わずに、前記セレクタにより前記レーキ受信機を形成するためのＮ個の候補経路の部分集合を選択する第２の方法との、２つの方法によってＮ個の候補経路の部分集合を選択可能に構成されており、
更に、出力信号の品質をチェックし、前記出力信号の品質がしきい値より低いときに前記第１の方法により前記Ｎ個のフィンガを形成するように制御する制御部を備える、レーキ受信機。
【請求項１４】
前記セレクタはＭ個の相関器を備え、前記Ｍ個の相関器の出力を用いて前記Ｎ個の候補経路の部分集合を生成する、請求項１３に記載のＮ個のフィンガを持つレーキ受信機。
【請求項１５】
前記サーチャはマッチド・フィルタの出力を用いて前記Ｍ個の候補経路の集合を生成する、請求項１３に記載のＮ個のフィンガを持つレーキ受信機。
【請求項１６】
前記セレクタは、前記サーチャが非活動状態のとき、前記Ｎ個の候補経路の新しい部分集合を生成する、請求項１５に記載のＮ個のフィンガを持つレーキ受信機。
【請求項１７】
前記セレクタは、前記サーチャが活動状態であって前記Ｍ個の候補経路の新しい集合を生成しているとき、前記Ｎ個の候補経路の新しい部分集合を生成する、請求項１５に記載のＮ個のフィンガを持つレーキ受信機。
【請求項１８】
前記セレクタはｋ*Ｍ個の相関器を含み、前記ｋ*Ｍ個の相関器を用いてＭ個の推定値を生成する、請求項１３に記載の装置。
【請求項１９】
前記セレクタは前記Ｍ個の推定値を用いてＮ個の候補経路の集合を生成する、請求項１８に記載のＮ個のフィンガを持つレーキ受信機。
【請求項２０】
レーキ受信機の形成方法であって、
マッチド・フィルタにより、入力信号を用いてＭ個の経路の第１の集合を見つける第１ステップと、
前記Ｍ個の経路の第１の集合を探して相関値の集合を生成する第２ステップと、
前記相関値と前記入力信号に基づいてＮ個（Ｎ＜Ｍ）の経路の第２の集合を選択する第３ステップと、
前記第１ステップにより前記Ｍ個の経路の第１の集合を更新し、前記第２ステップ及び前記第３ステップによりレーキ受信機を形成する第１の方法と、前記第１ステップによる前記Ｍ個の経路の第１の集合の更新を行わずに、前記第２ステップ及び前記第３ステップによりレーキ受信機を形成する第２の方法とを切り替えるステップと、
出力信号の品質をチェックし、前記出力信号の品質がしきい値より低いときに前記第１の方法により前記Ｎ個のフィンガを形成するように制御するステップとを含む、レーキ受信機を形成する方法。
【請求項２１】
前記Ｍ個の経路の第１の集合を更新せずに前記Ｎ個の経路の第２の集合を更新するステップを更に含む、請求項２０に記載のレーキ受信機を形成する方法。
【請求項２２】
前記Ｍ個の経路の第１の集合の更新中に前記Ｎ個の経路の第２の集合を更新するステップを更に含む、請求項２０に記載のレーキ受信機を形成する方法。
【請求項２３】
前記経路の第１の集合の更新中に前記経路の第２の集合を更新するステップを更に含む、請求項２２に記載のレーキ受信機を形成する方法。
【発明の詳細な説明】
【０００１】
（背景）
本発明は符号分割多元接続（ＣＤＭＡ）移動体無線電話システムにおけるディジタル変調信号などのスペクトラム拡散無線信号の受信に関するもので、特にレーキ（ＲＡＫＥ）受信機の形成に関する。
【０００２】
従来のレーキ受信機はサーチャを用いてレーキ受信機のフィンガとダイバーシチ・コンバイナに一組の経路を与える。サーチャはマッチド・フィルタ（または同様の相関手段）を用いてＮ個の経路を選択する。ただし、Ｎはフィンガの数である。次にダイバーシチ・コンバイナはＮ個のフィンガのそれぞれに異なる重みを割り当てる。
一般に、移動局が環境の中を移動するに従って、新しい経路が生まれたり他の経路が消滅したりする。２つ以上の経路が同時に消滅した場合は、受信機は十分な信号電力を得るのが困難である。通常、相関のある経路が消滅するとサーチャ（すなわちマッチド・フィルタ）を用いて新しい経路を見つける必要がある。場合によっては、レーキ受信機はマッチド・フィルタを連続的に作動させなければならない。マッチド・フィルタを用いるとコストが高くなり、また計算が複雑である。このため、時間がかかるだけでなく携帯用装置の電池の寿命が短くなる。
【０００３】
図１は、ＣＤＭＡシステムの一例の略図である。送信機３０は入力ユーザ・データを複数のユーザに送信する。従来のＣＤＭＡシステムでは、入力ユーザ・データ３１の各シンボルに短コードすなわちチップ・シーケンス３３を乗算する。入力ユーザ毎に特有の短コードがある。次に入力ユーザ・データを長コードすなわちチップ・シーケンス３５で拡散する。短コードにより同じセル内のユーザ間の多元接続干渉を打ち消し、長コードにより送信機間の多元接続干渉を打ち消す。累算器３６は拡散信号を加算して合成信号３７を形成する。合成信号３７を用いて無線周波数搬送波３８を変調し、送信アンテナ３９により送信する。
【０００４】
受信機５０は信号４０を受信する受信アンテナ５９を有する。受信機５０は搬送波信号５８を用いて信号４０を復調し、合成信号５８を得る。合成信号５７に、同期の長コードすなわちチップ・シーケンス５５を乗算する。長コード５５は、長コード３５の局所生成の複素共役レプリカである。
次に逆拡散信号５４に、同期の短コードすなわちチップ・シーケンスを乗算する。短コード５３は、短コード３３の局所生成の複素共役レプリカ（または送信機３０が用いる他のＮ個の短コードの１つ）である。短コード５３を乗算すると、他のユーザへの送信に起因する干渉が抑制される。ディジタル論理回路５２（例えば、加算ダンプ・ユニット(summation and dump unit)）を用いれば入力ユーザ・データ３１の推定値を得ることができる。
【０００５】
当業者に明らかなように、受信機５０は次の２つを行わなければ入力ユーザ・データ３１を再構築することはできない。すなわち、（１）長コード３５を決定し、長コード３５の局所生成の複素共役レプリカを受信信号５７に同期させ、（２）短コード３３を決定し、短コード３３の局所生成の複素共役レプリカを逆拡散信号５４に同期させることである。多くのＣＤＭＡ信号がパイロット信号または周期コード（同期コード）を含むのはこのためである。同期コードは、マッチド・フィルタすなわち相関手段を用いることにより、また相関ピークを同定することにより、見つけることできる。
【０００６】
移動体通信システムでは、基地局と移動局の間に送信される信号は一般にエコー歪みすなわち時間分散（マルチパス遅れ）を生成する。マルチパス遅れは、信号が例えば大きな建物や近くの山から反射されるために起こる。障害物があると、信号は１つの経路ではなく複数の経路を通って受信機に向かう。受信機は、異なる経路（レイ(ray)と呼ぶ）を通って伝播した複数の送信信号の合成信号を受信する。各レイの遅れと振幅は同じではなく、またランダムに変動する。
区別可能な各「レイ」は或る相対的な到着時間Ｔn秒を有する。受信機は各レイの相対的な到着時間を、マッチド・フィルタやシフトされた探索フィンガやその他の相関手段を用いて決定することができる。マッチド・フィルタまたは相関手段の出力を一般にマルチパス・プロフィール（または遅延プロフィール）と呼ぶ。受信信号は同じ信号の複数のバージョンを含むので、遅延プロフィールは２つ以上のスパイクを含む。
【０００７】
図２はマルチパス・プロフィールの一例である。最短経路を通って伝播するレイは時刻Ｔ0に振幅Ａ0および位相φ0で到着し、これより長い経路を通って伝播するレイはそれぞれ時刻Ｔ1，Ｔ2，．．．，Ｔ30に振幅Ａ1，Ａ2，．．．，Ａ30および位相φ1，φ2，．．．，φ30で到着する。送信信号を最適に検出するには、スパイクを適当な方法で結合しなければならない。通常、これはレーキ受信機で行う。異なる経路をまとめてレーキする（かき集める）のでレーキ受信機と呼ぶ。レーキ受信機は一種のダイバーシチ結合を用いて種々の受信信号経路（すなわちレイ）からの信号のエネルギーを収集する。「ダイバーシチ」という語は、レーキ受信機が冗長な通信チャンネルを用いるので、一部のチャンネルがフェードしても、フェードしないチャンネルにより通信が可能になることを意味する。ＣＤＭＡレーキ受信機は、各経路の遅れを個別に識別して全てをコヒーレントに加算することによりフェージングに対処する。
【０００８】
図３はＮ個のフィンガを持つレーキ受信機の略図である。無線周波数（ＲＦ）受信機１１０は受信信号を復調し、復調信号を量子化して入力信号１１２を生成する。各フィンガは入力信号１１２を用いて異なる経路からの信号電力を回復する。受信機はサーチャを用いて一組の信号経路を見つける。
図２の例の場合、サーチャはＴ20のピークが最大振幅を有すると判定する。この経路が最も強い経路なので、フィンガの１つ（例えばフィンガ３２０）はＴ20の遅れを有する経路を受信する。受信機は、例えばディジタル・サンプル１１２をＴ20だけ遅らせてもよいし、またはチップ・シーケンス３２１を同じ量だけシフトしてもよい。
【０００９】
同様に、入力信号１１２を、Ｔ10に対応する位相を有するチップ・シーケンス３２３とフィンガ３２２で相関させ、Ｔ5に対応する位相を有するチップ・シーケンス３３１とフィンガ３３０で相関させ、Ｔ15に対応する位相を有するチップ・シーケンスとフィンガ３２２で相関させてよい。フィンガ出力に個別の重み３４０、３４２、３５０、３５２を乗算して、受信信号対雑音および干渉比を最大にする。次に重み付き出力を累算器３６２で加算する。累算器３６２の出力をしきい値装置３６４に、すなわちソフト情報を出力する量子化器に与える。
大切なことは、レーキ受信機が経路の最良の集合（組）を用いることである。しかしマッチド・フィルタを用いて新しい経路を探すとコストが高くなり、また計算が複雑である。レーキ受信機の計算の複雑さを減らすダイバーシチ手段が必要である。
【００１０】
（概要）
従来のレーキ受信機のかかる欠点や問題や限界は、候補経路の第１の集合から経路の第２の集合を生成することにより解決することができる。第１段階で、入力信号を用いて候補経路の第１の集合を見つける。第２段階で、入力信号と候補経路の第１の集合を用いて候補経路の第２の集合を生成する。第３段階で、経路の第２の集合を用いてレーキ受信機を形成する。
本発明の例示の実施の形態では、第１段階はマッチド・フィルタを含み、第２段階は探索フィンガまたは相関器のバンク(bank)を備え、第３段階はダイバーシチ・コンバイナを備える。
【００１１】
本発明の１つの形態では、第１段階でＭ個の候補経路の第１の集合を見つけ、第２段階でＭ個の候補経路を用いてＮ個の経路を選択し、これを用いてレーキ受信機のＮ個のフィンガを形成する。
本発明の別の形態では、第１段階でＭ個の候補経路の第１の集合を見つけ、第２段階でＭ個の候補経路を追跡してＮ個の経路を選択または生成し、これを用いてレーキ受信機のＮ個のフィンガを形成する。
本発明の別の形態では、第１段階が活動状態または不活動状態のときに第２段階でＮ個の経路の新しい集合を生成する。第３段階で品質信号またはカウンタを用い、第１段階および／または第２段階に通知して経路の新しい集合を生成させる。
本発明の１つの利点はマッチド・フィルタを連続的に作動させる必要がないことである。別の利点は、受信機がフィンガを再形成するのに新しい経路を探す必要がないことである。別の利点は、受信機はフェージングに関係がなくまた影響を受けにくい経路を用いることが可能なことである。
【００１２】
（詳細な説明）
上述の本発明の目的と特徴と利点は、以下の図面を参照して詳細な説明を読むことにより容易に理解することができる。
以下の説明において、本発明の理解を助けるために回路や回路構成要素や送信方式の特定の名称などの特定の詳細について説明する。しかし当業者に明らかなように、本発明はこれらの特定の詳細とは異なる他の実施の形態で実現することが可能である。また、不必要に詳細に述べたために本発明の説明が不明確になることを避けるために、既知の方法や回路については詳細な説明をしない。
【００１３】
すでに説明したように、図１はＣＤＭＡシステムの一例の略図であり、図２はマルチパス・プロフィールの一例であり、図３はＮ個のフィンガを持つレーキ受信機の略図である。
図４は、レーキ受信機と、経路の第２の集合を選択または生成する第２段階の略図である。第１段階１００でディジタル・サンプル１１２を用いて候補経路の第１の集合１８０を見つける。第１段階ではマッチド・フィルタとピーク検出器を用いて経路の第１の集合１８０を見つける。しかし前に説明したサーチャとは異なり、第１段階１００ではＭ個の経路を見つける。ただし、Ｍはフィンガの数Ｎより大きい数である。
【００１４】
第２段階２００で、ディジタル・サンプル１１２と候補経路の第１の集合１８０を用いて経路の第２の集合２８０を選択する。第３段階３００で、経路の第２の集合２８０を用いてレーキ受信機のＮ個のフィンガを形成する。単に候補経路の第１の集合１８０を用いてＮ個のフィンガを形成することはできない。なぜなら、第１の集合１８０はＮ個より多い経路を含むからである。第３段階３００では、ディジタル・サンプル１１２と、経路の第２の集合２８０と、ダイバーシチ・コンバイナと、デコーダを用いて、送信信号の推定値を再生成する。
【００１５】
第２段階２００を用いると第１段階の必要性が減少する。受信機または送信機が移動すると（または受信機と送信機の間の物体が移動すると）、或る経路はフェードし、或る経路は強くなる。第２段階ではＭ個の経路を監視して、必要に応じてＮ個の最良の経路を選択する。言い換えると、第２段階２００でＮ個の経路の１つを（Ｍ−Ｎ）個の別の経路の１つに置き換えることによりレーキ受信機を再形成する。Ｍ個の最良の経路の１つではあったがＮ個の最良の経路の１ではなかった経路が、Ｎ個の最良の経路の１つになり得る。第２段階でＮ個の経路が相関すると決定した場合は、第２段階２００で相関する経路を相関しない経路に置き換え、また必要であれば元に戻す。
【００１６】
第２段階２００で候補経路の第１の集合１８０を用いて経路の第２の集合２８０を生成する方法はいろいろある。１つの方法はＭ個の相関器のバンクを用いて、各相関器をＭ個の経路の１つに割り当てることである。各相関器は異なる位相（すなわちオフセット）を持つチップ・シーケンスを用いてよい。Ｍ個の相関器は一組のＭ個の相関値を生成する。受信機または送信機が移動するに従って、受信機はＭ個の相関器を用いてＮ個の最良の経路を決定することができる。第２段階２００で最良の経路の新しいグループがあると決定した場合は、これに従って第２段階２００で第３段階３００を再形成することができる。第２段階２００では経路の新しい集合２８０を迅速かつ容易に生成することができる。第２段階ではＭ個の経路だけを探すので、第２段階２００で経路の新しい部分集合を見つけるのは容易である。第２段階２００ではディジタル・サンプル１１２とＭ個の経路を監視して、必要に応じて経路の新しい集合を生成するので、第２段階２００を用いると受信機がマッチド・フィルタおよび／または他の高価な計算に依存する程度を減らすことができる。
【００１７】
本発明の１つの形態では、第２段階２００で単にＭ個の経路を監視してＮ個の最良の経路を選択する。本発明の別の形態では、第２段階２００でＭ個の経路を実際に追跡する。第２段階２００でＭ個の推定値を生成し、Ｍ個の推定値からＮ個の経路を選択する。第２段階２００でｋＭ個の相関器のバンクを用いてＭ個の経路を追跡してよい。例えば、第２段階２００で３*Ｍ個の相関器のバンクを用いる場合は、第２段階２００で３個の相関器をＭ個の経路にそれぞれ割り当て、第１の相関器を現在の時間遅れに設定し、第２の相関器を現在の時間遅れより少し早く設定し、第３の相関器を現在の時間遅れより少し遅く設定してよい。または同様にして、第２段階２００で５*Ｍ個の相関器のバンクを用い、２個の相関器を現在の時間遅れより早く設定し、２個の相関器を現在の時間遅れより遅く設定してよい。または、第２段階２００で２個の相関器を用いて２個の相関器の間を内挿してよい。
【００１８】
上に述べたように、第２段階２００によりマッチド・フィルタを用いる必要性が減少したが、必ずしも全くなくなるわけではない。緊急の場合に、信号の品質が低下したと受信機が決定したときは、受信機は第２段階２００に命じて、自分が持っている経路の最良の集合を第３段階３００に送らせると共に、第１段階１００に命じて候補経路の新しい集合１８０を生成させる。または、受信機は信号３８１を用いて、出力信号３８０の品質を保持するよう、第１段階１００と第２段階２００を絶えず更新してよい。或るシステムでは、出力信号３８０に関係なく候補経路の新しい集合を定期的に生成するとよい。かかるシステムでは、受信機はカウンタを用いて、マッチド・フィルタが候補経路の集合を最後に生成した後の経過時間を追跡する。この場合も、第２段階２００で引き続き経路の集合を生成し、第１段階１００で候補経路の新しい集合１８０を生成してよい。
【００１９】
図５は、レーキ受信機と、経路の第２の集合を選択し生成する第２段階の別の略図である。アンテナ１０８とＲＦ受信機１１０はディジタル・サンプル１１２をフィンガ３２０、３２２、３３０、３３２に与える。またアンテナ１０８とＲＦ受信機１１０はディジタル・サンプルをサーチャ１０１と、セレクタ２０１と、制御プロセッサ６００に与える。制御プロセッサ６００はサーチャ１０１に命じて、ディジタル・サンプル１１２を用いて候補経路の集合１８０を見つけさせる。
セレクタ２０１は候補経路の第１の集合１８０を用いて経路の小さな集合すなわち部分集合２８０を選択する。例えば、レーキ受信機が４個のフィンガを有する場合は、経路の第２の集合２８０は４つの経路、すなわち２８０ａ、２８０ｂ、２８０ｃ、２８０ｄを含む。第１の経路２８０ａはフィンガ３３２を形成するのに用いられ、第２の経路２８０ｂはフィンガ３３０を形成するのに用いられ、第３の経路２８０ｃはフィンガ３２２を形成するのに用いられ、第４の経路２８０ｄはフィンガ３２０を形成するのに用いられる。セレクタ２０１はディジタル・サンプル１１２と候補経路の第１の集合１８０を用いて新しい経路を選択する。ダイバーシチ・コンバイナおよびデコーダ３５０は４個のフィンガの出力を用いて送信信号の推定値を再生成する。制御プロセッサ６００は推定値の品質を監視し、この情報を用いてサーチャ１０１とセレクタ２０１を制御する。
【００２０】
図６は、マッチド・フィルタの必要性を減らす方法の流れ図である。ステップ７１０で、レーキ受信機は第１段階を開始する。ステップ７１２で、レーキ受信機はマッチド・フィルタを用いて遅延プロフィールを生成する。ステップ７１４で、レーキ受信機は遅延プロフィールを用いてＭ個の可能な経路を含む候補経路の第１の集合を生成する。
ステップ７２０で、レーキ受信機は第２段階を開始する。ステップ７２２で、レーキ受信機は候補経路の第１の集合を用いてＮ個の経路を含む経路の第２集合を生成する。レーキ受信機はｋＭ個の相関器を用いてＮ個の経路を見つける。
ステップ７３０で、レーキ受信機は第３段階を開始する。ステップ７３２で、レーキ受信機は経路の第２の集合を用いてレーキ受信機のＮ個のフィンガを形成する。
【００２１】
ステップ７４０で、レーキ受信機は出力信号の品質をチェックする。出力信号の品質が許容レベルより高い場合は、候補経路の新しい第１の集合を生成する必要はない。しかし出力信号の品質が許容レベルより低い場合は、受信機は第１段階を用いて候補経路の新しい第１の集合を生成する。ステップ７４２で受信機は第３段階に命じて、第１段階で新しい経路の準備ができるまで第２段階からの経路を用いさせる。或るシステムでは、新しい候補経路を定期的に探すのがよい。ステップ７４４で、受信機はカウンタまたは別の装置をチェックして、新しい経路を探す時限になったかどうか判断する。カウンタがプリセットの時限を超えた場合は受信機は第１段階を開始する。超えていない場合は、受信機は第２段階で選択または生成した経路を引き続き用いる。
【００２２】
上記の説明は特定の例示の実施の形態を参照したが、かかる例は制限的なものと見なしてはならない。本発明のシステムは他の送信方式に変更可能なだけでなく、他のセルラ・システム用にも変更可能である。したがって、本発明はここに開示した実施の形態に限定されるものではなく、特許請求の範囲に適合する最も広い範囲に従うものである。
【図面の簡単な説明】
【図１】ＣＤＭＡシステムの一例の略図である。
【図２】マルチパス・プロフィールの一例である。
【図３】Ｎ個のフィンガを持つレーキ受信機の略図である。
【図４】レーキ受信機と、経路の第２の集合を選択または生成する第２段階の略図である。
【図５】レーキ受信機と、経路の第２の集合を選択または生成する第２段階の別の略図である。
【図６】マッチド・フィルタの必要性を減らす方法の流れ図である。
【図１】
0004480276.tif 000002
【図２】
0004480276.tif 000003
【図３】
0004480276.tif 000004
【図４】
0004480276.tif 000005
【図５】
0004480276.tif 000006
【図６】
0004480276.tif 000007